(57)【要約】【課題】本発明は荷室内全体を冷凍することなく、複数個の物流容器内を任意の温度に設定して、顧客から要求されている要求温度での輸送をできるようにして、効率のよい輸送を行なうことができる冷凍車を得るにある。【解決手段】輸送車本体の荷室内に設置された密閉扉を有する複数個の冷凍コンテナーと、この複数個の冷凍コンテナーにそれぞれ取付けられた複数個のエバポレータと、輸送車本体に取付けられたコンプレッサー、コンデンサーおよび熱交換タンクとからなる冷凍ユニットと、複数個のエバポレータの排出側に接続され、冷凍ユニットのコンプレッサーの吸引側に接続された戻り管と、冷凍ユニットの熱交換タンクの排出側に接続された複数個の冷媒供給パイプが備えられたマイクロコンピュータで制御される冷媒配分バルブと、この冷媒配分バルブの複数個の冷媒供給パイプに接続され複数個のエバポレータの供給側にそれぞれ接続された複数個の冷媒供給管と、複数個の冷凍コンテナー内に設置されたマイクロコンピュータにデータを送る温度センサーとで冷凍車を構成している。【選択図】  図２
2004245469.tif 000002
【特許請求の範囲】
【請求項１】
開閉扉を有する荷室を備えた輸送車本体と、この輸送車本体の荷室内に固定あるいは着脱可能に設置された密閉扉を有する複数個の冷凍コンテナーと、この複数個の冷凍コンテナーにそれぞれ取付けられた、該冷凍コンテナー内をそれぞれ冷凍冷却する複数個のエバポレータと、前記輸送車本体に取付けられたコンプレッサー、コンデンサーおよび熱交換タンクとからなる冷凍ユニットと、前記複数個のエバポレータの排出側に接続されるとともに、前記冷凍ユニットのコンプレッサーの吸引側に接続された戻り管と、前記冷凍ユニットの熱交換タンクの排出側に接続された複数個の冷媒供給パイプが備えられたマイクロコンピュータで制御される冷媒配分バルブと、この冷媒配分バルブの複数個の冷媒供給パイプに接続されるとともに、前記複数個のエバポレータの供給側にそれぞれ接続された複数個の冷媒供給管と、前記複数個の冷凍コンテナー内に設置された前記マイクロコンピュータにデータを送る温度センサーとからなることを特徴とする冷凍車。
【請求項２】
開閉扉を有する荷室を備えた輸送車本体と、この輸送車本体の荷室内に固定あるいは着脱可能に設置された密閉扉を有する複数個の冷凍コンテナーと、この複数個の冷凍コンテナーにそれぞれ取付けられた、該冷凍コンテナー内をそれぞれ冷凍冷却する複数個のエバポレータと、前記輸送車本体に取付けられたコンプレッサー、コンデンサーおよび熱交換タンクとからなる冷凍ユニットと、前記複数個のエバポレータの排出側に接続されるとともに、前記冷凍ユニットのコンプレッサーの吸引側に接続された戻り管と、前記冷凍ユニットの熱交換タンクの排出側に接続された複数個の冷媒供給パイプが備えられたマイクロコンピュータで制御される冷媒配分バルブと、この冷媒配分バルブの複数個の冷媒供給パイプで供給される冷媒の温度が低いものから高くなる順に配管が長くなるように、前記複数個のエバポレータの供給側にそれぞれ接続された複数個の冷媒供給管とからなることを特徴とする冷凍車。
【請求項３】
輸送車本体と、この輸送車本体の荷室あるいは荷台に密閉扉をそれぞれ有する複数個の冷凍室となるように仕切られた冷凍コンテナーと、この冷凍コンテナーの複数個の冷凍室にそれぞれ取付けられた、該冷凍室内をそれぞれ冷凍冷却する複数個のエバポレータと、前記輸送車本体に取付けられたコンプレッサー、コンデンサーおよび熱交換タンクとからなる冷凍ユニットと、前記複数個のエバポレータの排出側に接続されるとともに、前記冷凍ユニットのコンプレッサーの吸引側に接続された戻り管と、前記冷凍ユニットの熱交換タンクの排出側に接続された複数個の冷媒供給パイプが備えられたマイクロコンピュータで制御される冷媒配分バルブと、この冷媒配分バルブの複数個の冷媒供給パイプに接続されるとともに、前記複数個のエバポレータの供給側にそれぞれ接続された複数個の冷媒供給管とからなることを特徴とする冷凍車。
【請求項４】
開閉扉を有する荷室を備えた輸送車本体と、この輸送車本体の荷室内に固定あるいは着脱可能に設置された密閉扉を有する複数個の冷凍コンテナーと、この複数個の冷凍コンテナーにそれぞれ取付けられた該冷凍コンテナー内をそれぞれ冷凍冷却する回転数を制御できるファンを備えた複数個のエバポレータと、前記輸送車本体に取付けられたコンプレッサー、コンデンサーおよび熱交換タンクとからなる冷凍ユニットと、前記複数個のエバポレータの排出側に接続されるとともに、前記冷凍ユニットのコンプレッサーの吸引側に接続された戻り管と、前記冷凍ユニットの熱交換タンクの排出側に接続されるとともに、前記複数個のエバポレータの供給側に接続された冷媒供給管とからなることを特徴とする冷凍車。
【請求項５】
輸送車本体と、この輸送車本体の荷室あるいは荷台に密閉扉をそれぞれ有する複数個の冷凍室となるように仕切られた冷凍コンテナーと、この冷凍コンテナーの複数個の冷凍室にそれぞれ取付けられた、該冷凍室内をそれぞれ冷凍冷却する回転数を制御できるファンを備えた複数個のエバポレータと、前記輸送車本体に取付けられたコンプレッサー、コンデンサーおよび熱交換タンクとからなる冷凍ユニットと、前記複数個のエパポレータの排出側に接続されるとともに、前記冷凍ユニットのコンプレッサーの吸引側に接続された戻り管と、前記冷凍ユニットの熱交換タンクの排出側に接続されるとともに、前記複数個のエバポレータの供給側に接続された冷媒供給管とからなることを特徴とする冷凍車。
【発明の詳細な説明】
【０００１】
【発明の属する技術分野】
本発明は冷凍車に関する。
【０００２】
【従来の技術】
従来の冷凍車は荷物室を冷凍構造に加工し、荷物室内に冷凍機からの冷気を供給したり、荷物室内を２室に仕切り、２室内の温度が異なる温度となるように冷凍機からの冷気を供給できるように構成している。
【０００３】
【発明が解決しようとする課題】
従来の冷凍車は荷室全体あるいは仕切壁で仕切られた荷室内を一定の温度に設定するものであるため、設定温度が最大２種類となり、この設定温度以外の荷物の輸送は同時にできないという欠点があった。
また、最近顧客からの輸送荷物に対する温度管理の要求が高まっているが、同一車両での要求温度での輸送には混載が難しく、効率のよい輸送ができないという欠点があった。
【０００４】
本発明は以上のような従来の欠点に鑑み、荷室内全体を冷凍することなく、複数個の物流容器内を任意の温度に設定して、顧客から要求されている要求温度での輸送をできるようにして、効率のよい輸送を行なうことができる冷凍車を提供することを目的としている。
【０００５】
また、本発明は輸送中の温度管理の状態を顧客に確認してもらうことができ、顧客に安心感を与えることができる冷凍車を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は開閉扉を有する荷室を備えた輸送車本体と、この輸送車本体の荷室内に固定あるいは着脱可能に設置された密閉扉を有する複数個の冷凍コンテナーと、この複数個の冷凍コンテナーにそれぞれ取付けられた、該冷凍コンテナー内をそれぞれ冷凍冷却する複数個のエバポレータと、前記輸送車本体に取付けられたコンプレッサー、コンデンサーおよび熱交換タンクとからなる冷凍ユニットと、前記複数個のエバポレータの排出側に接続されるとともに、前記冷凍ユニットのコンプレッサーの吸引側に接続された戻り管と、前記冷凍ユニットの熱交換タンクの排出側に接続された複数個の冷媒供給パイプが備えられたマイクロコンピュータで制御される冷媒配分バルブと、この冷媒配分バルブの複数個の冷媒供給パイプに接続されるとともに、前記複数個のエバポレータの供給側にそれぞれ接続された複数個の冷媒供給管と、前記複数個の冷凍コンテナー内に設置された前記マイクロコンピュータにデータを送る温度センサーとで冷凍車を構成している。
【０００８】
【発明の実施の形態】
以下、図面に示す実施の形態により、本発明を詳細に説明する。
【０００９】
図１ないし図７に示す本発明の第１の実施の形態において、１はあらかじめ設定された異なる冷凍冷却温度に保った状態で冷凍冷却荷物を輸送することができる本発明の冷凍車で、この冷凍車１はガルウイングの開閉扉２を有する荷室３を備えた輸送車本体４と、この輸送車本体４の荷室３内に固定あるいは着脱可能、本発明の実施の形態では固定状態に設置された開閉扉５を有する複数個、本発明の実施の形態では８個の冷凍コンテナー６と、この８個の冷凍コンテナー６にそれぞれ取付けられた該冷凍コンテナー６内をそれぞれ冷凍冷却する回転数を制御できるファン７をそれぞれ有する８個のエバポレータ８と、前記輸送車本体４に取付けられたコンプレッサー９、コンデンサー１０および熱交換タンク１１とからなる冷凍ユニット１２と、前記８個のエバポレータ８の排出側に接続されるとともに、前記冷凍ユニット１２のコンプレッサー９の吸引側に接続された戻り管１３と、前記冷凍ユニット１２の熱交換タンク１１の排出側に接続された８個の冷媒供給パイプ１４が備えられたマイクロコンピュータ１５で、例えば−２０℃、−２０℃、−１０℃、−１０℃、±０℃、±０℃、＋１０℃、＋１０℃等に制御され、その制御内容を記憶表示器１６で表示できる冷媒配分バルブ１７と、この冷媒配分バルブ１７の８個の冷媒供給パイプ１４に接続されるとともに、前記８個のエバポレータ８の供給側にそれぞれ接続された８個の冷媒供給管１８、１８、１８ａ、１８ａ、１８ｂ、１８ｂ、１８ｃ、１８ｃと、前記８個の冷凍コンテナー６内にそれぞれ設置された温度センサー９とで構成されている。
【００１０】
前記冷媒供給管１８、１８、１８ａ、１８ａ、１８ｂ、１８ｂ、１８ｃ、１８ｃは冷媒配分バルブ１７で配分される低い温度から高い温度の順で、順次長くなるように設置される。
【００１１】
前記８個の冷凍コンテナー６の温度は、該冷凍コンテナー６にそれぞれ設置された前記温度センサー１９からのデータを前記冷媒配分バルブ１７に内蔵されているマイクロコンピュータ１５へ送り、該データから平均値を算出して各エバポレータ８の冷媒吹き出し量や温度をバルブのオン、オフ等によって制御する。
この場合、冷媒ガスの制御と同時に各エバポレータ８に取付けられたファン７の回転数の制御も行ない、各冷凍コンテナー６内の温度を設定値に保つための応答性を良くしてもよい。
【００１２】
前記冷凍コンテナー６は図５ないし図７に示すように、前記エバポレータ８のファン７からの冷気を多孔板等で形成された内壁２０内および、該内壁２０と外壁２１との間の冷気供給通路２２を通過し、下部より一部の内壁２０と外壁２１との間の冷気排出通路２３を通過してエバポレータ８へ戻り、効率よく均一に冷却できるように構成されている。
【００１３】
上記構成の冷凍車１は、荷室３の８個の冷凍コンテナー６には冷媒配分バルブ１７であらかじめ設定された冷媒が冷媒供給管１８、１８、１８ａ、１８ａ、１８ｂ、１８ｂ、１８ｃ、１８ｃを介して該冷凍コンテナー６、６、６、６、６、６、６、６に取付けられたエバポレータ８、８、８、８、８、８、８、８へ供給され、該エバポレータ８、８、８、８、８、８、８、８で冷凍コンテナー６、６、６、６、６、６、６、６内をそれぞれ冷凍冷却することができる。
また、この冷凍コンテナー６、６、６、６、６、６、６、６内の温度は、温度センサー１９、１９、１９、１９、１９、１９、１９、１９と冷媒は配分バルブ１７に内蔵されているマイクロコンピュータ１５によって、あらかじめ設定された冷凍冷却温度に保持される。
【００１４】
【発明の異なる実施の形態】
次に、図８ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図８ないし図１１に示す本発明の第２の実施の形態において、前記本発明の第１の実施の形態と主に異なる点は、エバポレータ８、８、８、８、８、８、８、８の凍結を検知する検知器２４、２４、２４、２４、２４、２４、２４、２４と、この検知器２４、２４、２４、２４、２４、２４、２４、２４からの検知信号によりエバポレータ８、８、８、８、８、８、８、８へ流入させる冷媒を戻り管１３より流入させ、冷媒供給管１８、１８、１８ａ、１８ａ、１８ｂ、１８ｂ、１８ｃ、１８ｃより排出することができる切替バルブ２５を介装したバイパス通路２６、２６、２６、２６、２６、２６、２６、２６とからなる凍結を瞬時に解凍する凍結解凍機構２７、２７、２７、２７、２７、２７、２７、２７を設けた点で、このように構成した冷凍車１Ａにしても、前記本発明の第１の実施の形態と同様な作用効果が得られる。
【００１６】
図１２ないし図１４に示す本発明の第３の実施の形態において、前記本発明の第１の実施の形態と主に異なる点は、輸送車本体４の荷台２８に複数個、本発明の実施の形態では密閉扉２９をそれぞれ有する４個の冷凍室３０、３０、３０、３０に仕切られた冷凍コンテナー６Ａ、６Ａを固定的に取付けるとともに、該冷凍コンテナー６Ａ、６Ａの各冷凍室３０、３０、３０、３０、３０、３０、３０、３０にエバポレータ８、８、８、８、８、８、８、８を設置した点で、このように構成した冷凍車１Ｂにしても、前記本発明の第１の実施の形態と同様な作用効果が得られる。
なお、本発明の実施の形態では荷台２８に冷凍コンテナー６Ａ、６Ａを固定的に取付けたものについて説明したが、本発明はこれに限らず、荷室３内に冷凍コンテナー６Ａ、６Ａを設置してもよい。
【００１７】
図１５ないし図１７に示す本発明の第４の実施の形態において、前記本発明の第１の実施の形態と主に異なる点は、熱交換タンク１１からの冷媒をサーモ連動のポンプ３１を介した冷媒供給管３２、３２でエバポレータ８、８、８、８、８、８、８、８へ供給できるようにして、エバポレータ８、８、８、８、８、８、８、８のファン７、７、７、７、７、７、７、７の回転数を制御して冷凍コンテナー６、６、６、６、６、６、６、６内の冷凍冷却温度をあらかじめ設定された温度にできるようにした点で、このように構成した冷凍車１Ｃにしても、前記本発明の第１の実施の形態と同様な作用効果が得られる。
この発明の実施の形態は前記本発明の第３の実施の形態にも同様に実施することができる。
【００１８】
なお、前記本発明の実施の形態では冷凍コンテナー６を荷室３に固定的に設置するものについて説明したが、本発明はこれに限らず、荷室３に着脱可能に取付けるとともに、エバポレータ８を冷凍コンテナー６に着脱可能に取付け、エバポレータ８を取り外した場合に該エバポレータ８の取付部を密閉する密閉蓋を用いるようにすることにより、移動可能な冷凍コンテナーにすることもできる。
【００１９】
【発明の効果】
以上の説明から明らかなように、本発明にあっては次に列挙する効果が得られる。
【００２０】
（１）開閉扉を有する荷室を備えた輸送車本体と、この輸送車本体の荷室内に固定あるいは着脱可能に設置された密閉扉を有する複数個の冷凍コンテナーと、この複数個の冷凍コンテナーにそれぞれ取付けられた、該冷凍コンテナー内をそれぞれ冷凍冷却する複数個のエバポレータと、前記輸送車本体に取付けられたコンプレッサー、コンデンサーおよび熱交換タンクとからなる冷凍ユニットと、前記複数個のエバポレータの排出側に接続されるとともに、前記冷凍ユニットのコンプレッサーの吸引側に接続された戻り管と、前記冷凍ユニットの熱交換タンクの排出側に接続された複数個の冷媒供給パイプが備えられたマイクロコンピュータで制御される冷媒配分バルブと、この冷媒配分バルブの複数個の冷媒供給パイプに接続されるとともに、前記複数個のエバポレータの供給側にそれぞれ接続された複数個の冷媒供給管と、前記複数個の冷凍コンテナー内に設置された前記マイクロコンピュータにデータを送る温度センサーとで構成されているので、複数個の冷凍コンテナー内の冷凍冷却温度を任意に設定して、輸送することができる。
したがって、設定温度の異なる冷凍冷却荷物を最適な冷凍冷却温度にした混載による輸送ができる。
よって、効率よく、設定温度の異なる冷凍冷却荷物の輸送を行なうことができる。
【００２１】
（２）前記（１）によって、冷凍コンテナーにエバポレータが設置されているので、正確に短時間に冷凍コンテナー内の温度を設定温度にできる。
【００２２】
（３）前記（１）によって、冷凍コンテナーにエバポレータを設置しているので、従来のように冷気の輸送距離が必要でなく、効率よく冷凍コンテナー内の冷凍冷却に利用でき、熱効率の向上を図ることができる。
【００２３】
（４）前記（１）によって、温度センサーとマイクロコンピュータで制御される冷媒配分バルブによって、複数個の冷凍コンテナー内の温度を任意に設定することができる。
したがって、冷凍冷却荷物の最適な冷凍冷却温度に容易に設定して、輸送することができる。
【００２４】
（５）請求項２、３も前記（１）〜（４）と同様な効果が得られる。
【００２５】
（６）請求項４、５も前記（１）〜（３）と同様な効果が得られる。
【図面の簡単な説明】
【図１】本発明の第１の実施の形態の概略側面図。
【図２】本発明の第１の実施の形態の概略平面図。
【図３】本発明の第１の実施の形態の概略背面図。
【図４】本発明の第１の実施の形態の冷凍機の説明図。
【図５】本発明の第１の実施の形態の冷凍コンテナーの正面図。
【図６】本発明の第１の実施の形態の冷凍コンテナーの平面図。
【図７】図６の７−７線に沿う拡大断面図。
【図８】本発明の第２の実施の形態の概略平面図。
【図９】本発明の第２の実施の形態の概略側面図。
【図１０】本発明の第２の実施の形態の冷凍機の説明図。
【図１１】本発明の第２の実施の形態の冷凍コンテナーの説明図。
【図１２】本発明の第３の実施の形態の概略平面図。
【図１３】本発明の第３の実施の形態の概略側面図。
【図１４】本発明の第３の実施の形態の冷凍機の説明図。
【図１５】本発明の第４の実施の形態の概略平面図。
【図１６】本発明の第４の実施の形態の概略側面図。
【図１７】本発明の第４の実施の形態の冷凍機の説明図。
【符号の説明】
１、１Ａ、１Ｂ、１Ｃ：冷凍車、
２：開閉扉、            ３：荷室、
４：輸送車本体、        ５：開閉扉、
６、６Ａ：冷凍コンテナー、
７：ファン、            ８：エバポレータ、
９：コンプレッサー、    １０：コンデンサー、
１１：熱交換タンク、    １２：冷凍ユニット、
１３：戻り管、          １４：冷媒供給パイプ、
１５：マイクロコンピュータ、
１６：記憶表示器、      １７：冷媒配分バルブ、
１８、１８ａ、１８ｂ、１８ｃ：冷媒供給管、
１９：温度センサー、    ２０：内壁、
２１：外壁、            ２２：冷気供給通路、
２３：冷気排出通路、    ２４：検知器、
２５：切替バルブ、      ２６：バイパス通路、
２７：凍結解凍機構、    ２８：荷台、
２９：密閉扉、          ３０：冷凍室、
３１：ポンプ、          ３２：冷媒供給管。
【図１】
2004245469.tif 000003
【図２】
2004245469.tif 000004
【図３】
2004245469.tif 000005
【図４】
2004245469.tif 000006
【図５】
2004245469.tif 000007
【図６】
2004245469.tif 000008
【図７】
2004245469.tif 000009
【図８】
2004245469.tif 000010
【図９】
2004245469.tif 000011
【図１０】
2004245469.tif 000012
【図１１】
2004245469.tif 000013
【図１２】
2004245469.tif 000014
【図１３】
2004245469.tif 000015
【図１４】
2004245469.tif 000016
【図１５】
2004245469.tif 000017
【図１６】
2004245469.tif 000018
【図１７】
2004245469.tif 000019
【手続補正書】
【提出日】平成15年3月25日(2003.3.25)
【手続補正１】
【補正対象書類名】明細書
【補正対象項目名】全文
【補正方法】変更
【補正の内容】
【特許請求の範囲】
【請求項１】開閉扉を有する荷室を備えた輸送車本体と、この輸送車本体の荷室内に固定あるいは着脱可能に設置された密閉扉を有する複数個の冷凍コンテナーと、この複数個の冷凍コンテナーにそれぞれ取付けられた、該冷凍コンテナー内をそれぞれ冷凍冷却する複数個のエバポレータと、前記輸送車本体に取付けられたコンプレッサー、コンデンサーおよび熱交換タンクとからなる冷凍ユニットと、前記複数個のエバポレータの排出側に接続されるとともに、前記冷凍ユニットのコンプレッサーの吸引側に接続された戻り管と、前記冷凍ユニットの熱交換タンクの排出側に接続された複数個の冷媒供給パイプが備えられたマイクロコンピュータで制御される冷媒配分バルブと、この冷媒配分バルブの複数個の冷媒供給パイプに接続されるとともに、前記複数個のエバポレータの供給側にそれぞれ接続された複数個の冷媒供給管と、前記複数個の冷凍コンテナー内に設置された前記マイクロコンピュータにデータを送る温度センサーとからなることを特徴とする冷凍車。
【請求項２】開閉扉を有する荷室を備えた輸送車本体と、この輸送車本体の荷室内に固定あるいは着脱可能に設置された密閉扉を有する複数個の冷凍コンテナーと、この複数個の冷凍コンテナーにそれぞれ取付けられた、該冷凍コンテナー内をそれぞれ冷凍冷却する複数個のエバポレータと、前記輸送車本体に取付けられたコンプレッサー、コンデンサーおよび熱交換タンクとからなる冷凍ユニットと、前記複数個のエバポレータの排出側に接続されるとともに、前記冷凍ユニットのコンプレッサーの吸引側に接続された戻り管と、前記冷凍ユニットの熱交換タンクの排出側に接続された複数個の冷媒供給パイプが備えられたマイクロコンピュータで制御される冷媒配分バルブと、この冷媒配分バルブの複数個の冷媒供給パイプで供給される冷媒で複数個の冷凍コンテナー内の温度が低いものから高くなる順に配管が長くなるように、前記複数個のエバポレータの供給側にそれぞれ接続された複数個の冷媒供給管とからなることを特徴とする冷凍車。
【請求項３】輸送車本体と、この輸送車本体の荷室あるいは荷台に密閉扉をそれぞれ有する複数個の冷凍室となるように仕切られた冷凍コンテナーと、この冷凍コンテナーの複数個の冷凍室にそれぞれ取付けられた、該冷凍室内をそれぞれ冷凍冷却する複数個のエバポレータと、前記輸送車本体に取付けられたコンプレッサー、コンデンサーおよび熱交換タンクとからなる冷凍ユニットと、前記複数個のエバポレータの排出側に接続されるとともに、前記冷凍ユニットのコンプレッサーの吸引側に接続された戻り管と、前記冷凍ユニットの熱交換タンクの排出側に接続された複数個の冷媒供給パイプが備えられたマイクロコンピュータで制御される冷媒配分バルブと、この冷媒配分バルブの複数個の冷媒供給パイプに接続されるとともに、前記複数個のエバポレータの供給側にそれぞれ接続された複数個の冷媒供給管とからなることを特徴とする冷凍車。
【請求項４】開閉扉を有する荷室を備えた輸送車本体と、この輸送車本体の荷室内に固定あるいは着脱可能に設置された密閉扉を有する複数個の冷凍コンテナーと、この複数個の冷凍コンテナーにそれぞれ取付けられた該冷凍コンテナー内をそれぞれ冷凍冷却する回転数を制御できるファンを備えた複数個のエバポレータと、前記輸送車本体に取付けられたコンプレッサー、コンデンサーおよび熱交換タンクとからなる冷凍ユニットと、前記複数個のエバポレータの排出側に接続されるとともに、前記冷凍ユニットのコンプレッサーの吸引側に接続された戻り管と、前記冷凍ユニットの熱交換タンクの排出側に接続されるとともに、前記複数個のエバポレータの供給側に接続された冷媒供給管とからなることを特徴とする冷凍車。
【請求項５】輸送車本体と、この輸送車本体の荷室あるいは荷台に密閉扉をそれぞれ有する複数個の冷凍室となるように仕切られた冷凍コンテナーと、この冷凍コンテナーの複数個の冷凍室にそれぞれ取付けられた、該冷凍室内をそれぞれ冷凍冷却する回転数を制御できるファンを備えた複数個のエバポレータと、前記輸送車本体に取付けられたコンプレッサー、コンデンサーおよび熱交換タンクとからなる冷凍ユニットと、前記複数個のエパポレータの排出側に接続されるとともに、前記冷凍ユニットのコンプレッサーの吸引側に接続された戻り管と、前記冷凍ユニットの熱交換タンクの排出側に接続されるとともに、前記複数個のエバポレータの供給側に接続された冷媒供給管とからなることを特徴とする冷凍車。
【発明の詳細な説明】
【０００１】
【発明の属する技術分野】
本発明は冷凍車に関する。
【０００２】
【従来の技術】
従来の冷凍車は荷物室を冷凍構造に加工し、荷物室内に冷凍機からの冷気を供給したり、荷物室内を２室に仕切り、２室内の温度が異なる温度となるように冷凍機からの冷気を供給できるように構成している。
【０００３】
【発明が解決しようとする課題】
従来の冷凍車は荷室全体あるいは仕切壁で仕切られた荷室内を一定の温度に設定するものであるため、設定温度が最大２種類となり、この設定温度以外の荷物の輸送は同時にできないという欠点があった。
また、最近顧客からの輸送荷物に対する温度管理の要求が高まっているが、同一車両での要求温度での輸送には混載が難しく、効率のよい輸送ができないという欠点があった。
【０００４】
本発明は以上のような従来の欠点に鑑み、荷室内全体を冷凍することなく、複数個の物流容器内を任意の温度に設定して、顧客から要求されている要求温度での輸送をできるようにして、効率のよい輸送を行なうことができる冷凍車を提供することを目的としている。
【０００５】
また、本発明は輸送中の温度管理の状態を顧客に確認してもらうことができ、顧客に安心感を与えることができる冷凍車を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は開閉扉を有する荷室を備えた輸送車本体と、この輸送車本体の荷室内に固定あるいは着脱可能に設置された密閉扉を有する複数個の冷凍コンテナーと、この複数個の冷凍コンテナーにそれぞれ取付けられた、該冷凍コンテナー内をそれぞれ冷凍冷却する複数個のエバポレータと、前記輸送車本体に取付けられたコンプレッサー、コンデンサーおよび熱交換タンクとからなる冷凍ユニットと、前記複数個のエバポレータの排出側に接続されるとともに、前記冷凍ユニットのコンプレッサーの吸引側に接続された戻り管と、前記冷凍ユニットの熱交換タンクの排出側に接続された複数個の冷媒供給パイプが備えられたマイクロコンピュータで制御される冷媒配分バルブと、この冷媒配分バルブの複数個の冷媒供給パイプに接続されるとともに、前記複数個のエバポレータの供給側にそれぞれ接続された複数個の冷媒供給管と、前記複数個の冷凍コンテナー内に設置された前記マイクロコンピュータにデータを送る温度センサーとで冷凍車を構成している。
【０００８】
【発明の実施の形態】
以下、図面に示す実施の形態により、本発明を詳細に説明する。
【０００９】
図１ないし図７に示す本発明の第１の実施の形態において、１はあらかじめ設定された異なる冷凍冷却温度に保った状態で冷凍冷却荷物を輸送することができる本発明の冷凍車で、この冷凍車１はガルウイングの開閉扉２を有する荷室３を備えた輸送車本体４と、この輸送車本体４の荷室３内に固定あるいは着脱可能、本発明の実施の形態では固定状態に設置された開閉扉５を有する複数個、本発明の実施の形態では８個の冷凍コンテナー６と、この８個の冷凍コンテナー６にそれぞれ取付けられた該冷凍コンテナー６内をそれぞれ冷凍冷却する回転数を制御できるファン７をそれぞれ有する８個のエバポレータ８と、前記輸送車本体４に取付けられたコンプレッサー９、コンデンサー１０および熱交換タンク１１とからなる冷凍ユニット１２と、前記８個のエバポレータ８の排出側に接続されるとともに、前記冷凍ユニット１２のコンプレッサー９の吸引側に接続された戻り管１３と、前記冷凍ユニット１２の熱交換タンク１１の排出側に接続された８個の冷媒供給パイプ１４が備えられたマイクロコンピュータ１５で、例えば−２０℃、−２０℃、−１０℃、−１０℃、±０℃、±０℃、＋１０℃、＋１０℃等に制御され、その制御内容を記憶表示器１６で表示できる冷媒配分バルブ１７と、この冷媒配分バルブ１７の８個の冷媒供給パイプ１４に接続されるとともに、前記８個のエバポレータ８の供給側にそれぞれ接続された８個の冷媒供給管１８、１８、１８ａ、１８ａ、１８ｂ、１８ｂ、１８ｃ、１８ｃと、前記８個の冷凍コンテナー６内にそれぞれ設置された温度センサー９とで構成されている。
【００１０】
前記冷媒供給管１８、１８、１８ａ、１８ａ、１８ｂ、１８ｂ、１８ｃ、１８ｃは冷媒配分バルブ１７で配分される複数個の冷凍コンテナー内の設定温度が低い温度から高い温度の順で、順次長くなるように設置される。
【００１１】
前記８個の冷凍コンテナー６の温度は、該冷凍コンテナー６にそれぞれ設置された前記温度センサー１９からのデータを前記冷媒配分バルブ１７に内蔵されているマイクロコンピュータ１５へ送り、該データから平均値を算出して各エバポレータ８の冷媒吹き出し量や温度をバルブのオン、オフ等によって制御する。
この場合、冷媒ガスの制御と同時に各エバポレータ８に取付けられたファン７の回転数の制御も行ない、各冷凍コンテナー６内の温度を設定値に保つための応答性を良くしてもよい。
【００１２】
前記冷凍コンテナー６は図５ないし図７に示すように、前記エバポレータ８のファン７からの冷気を多孔板等で形成された内壁２０内および、該内壁２０と外壁２１との間の冷気供給通路２２を通過し、下部より一部の内壁２０と外壁２１との間の冷気排出通路２３を通過してエバポレータ８へ戻り、効率よく均一に冷却できるように構成されている。
【００１３】
上記構成の冷凍車１は、荷室３の８個の冷凍コンテナー６には冷媒配分バルブ１７であらかじめ設定された冷媒が冷媒供給管１８、１８、１８ａ、１８ａ、１８ｂ、１８ｂ、１８ｃ、１８ｃを介して該冷凍コンテナー６、６、６、６、６、６、６、６に取付けられたエバポレータ８、８、８、８、８、８、８、８へ供給され、該エバポレータ８、８、８、８、８、８、８、８で冷凍コンテナー６、６、６、６、６、６、６、６内をそれぞれ冷凍冷却することができる。
また、この冷凍コンテナー６、６、６、６、６、６、６、６内の温度は、温度センサー１９、１９、１９、１９、１９、１９、１９、１９と冷媒は配分バルブ１７に内蔵されているマイクロコンピュータ１５によって、あらかじめ設定された冷凍冷却温度に保持される。
【００１４】
【発明の異なる実施の形態】
次に、図８ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図８ないし図１１に示す本発明の第２の実施の形態において、前記本発明の第１の実施の形態と主に異なる点は、エバポレータ８、８、８、８、８、８、８、８の凍結を検知する検知器２４、２４、２４、２４、２４、２４、２４、２４と、この検知器２４、２４、２４、２４、２４、２４、２４、２４からの検知信号によりエバポレータ８、８、８、８、８、８、８、８へ流入させる冷媒を戻り管１３より流入させ、冷媒供給管１８、１８、１８ａ、１８ａ、１８ｂ、１８ｂ、１８ｃ、１８ｃより排出することができる切替バルブ２５を介装したバイパス通路２６、２６、２６、２６、２６、２６、２６、２６とからなる凍結を瞬時に解凍する凍結解凍機構２７、２７、２７、２７、２７、２７、２７、２７を設けた点で、このように構成した冷凍車１Ａにしても、前記本発明の第１の実施の形態と同様な作用効果が得られる。
【００１６】
図１２ないし図１４に示す本発明の第３の実施の形態において、前記本発明の第１の実施の形態と主に異なる点は、輸送車本体４の荷台２８に複数個、本発明の実施の形態では密閉扉２９をそれぞれ有する４個の冷凍室３０、３０、３０、３０に仕切られた冷凍コンテナー６Ａ、６Ａを固定的に取付けるとともに、該冷凍コンテナー６Ａ、６Ａの各冷凍室３０、３０、３０、３０、３０、３０、３０、３０にエバポレータ８、８、８、８、８、８、８、８を設置した点で、このように構成した冷凍車１Ｂにしても、前記本発明の第１の実施の形態と同様な作用効果が得られる。
なお、本発明の実施の形態では荷台２８に冷凍コンテナー６Ａ、６Ａを固定的に取付けたものについて説明したが、本発明はこれに限らず、荷室３内に冷凍コンテナー６Ａ、６Ａを設置してもよい。
【００１７】
図１５ないし図１７に示す本発明の第４の実施の形態において、前記本発明の第１の実施の形態と主に異なる点は、熱交換タンク１１からの冷媒をサーモ連動のポンプ３１を介した冷媒供給管３２、３２でエバポレータ８、８、８、８、８、８、８、８へ供給できるようにして、エバポレータ８、８、８、８、８、８、８、８のファン７、７、７、７、７、７、７、７の回転数を制御して冷凍コンテナー６、６、６、６、６、６、６、６内の冷凍冷却温度をあらかじめ設定された温度にできるようにした点で、このように構成した冷凍車１Ｃにしても、前記本発明の第１の実施の形態と同様な作用効果が得られる。
この発明の実施の形態は前記本発明の第３の実施の形態にも同様に実施することができる。
【００１８】
なお、前記本発明の実施の形態では冷凍コンテナー６を荷室３に固定的に設置するものについて説明したが、本発明はこれに限らず、荷室３に着脱可能に取付けるとともに、エバポレータ８を冷凍コンテナー６に着脱可能に取付け、エバポレータ８を取り外した場合に該エバポレータ８の取付部を密閉する密閉蓋を用いるようにすることにより、移動可能な冷凍コンテナーにすることもできる。
【００１９】
【発明の効果】
以上の説明から明らかなように、本発明にあっては次に列挙する効果が得られる。
【００２０】
（１）開閉扉を有する荷室を備えた輸送車本体と、この輸送車本体の荷室内に固定あるいは着脱可能に設置された密閉扉を有する複数個の冷凍コンテナーと、この複数個の冷凍コンテナーにそれぞれ取付けられた、該冷凍コンテナー内をそれぞれ冷凍冷却する複数個のエバポレータと、前記輸送車本体に取付けられたコンプレッサー、コンデンサーおよび熱交換タンクとからなる冷凍ユニットと、前記複数個のエバポレータの排出側に接続されるとともに、前記冷凍ユニットのコンプレッサーの吸引側に接続された戻り管と、前記冷凍ユニットの熱交換タンクの排出側に接続された複数個の冷媒供給パイプが備えられたマイクロコンピュータで制御される冷媒配分バルブと、この冷媒配分バルブの複数個の冷媒供給パイプに接続されるとともに、前記複数個のエバポレータの供給側にそれぞれ接続された複数個の冷媒供給管と、前記複数個の冷凍コンテナー内に設置された前記マイクロコンピュータにデータを送る温度センサーとで構成されているので、複数個の冷凍コンテナー内の冷凍冷却温度を任意に設定して、輸送することができる。
したがって、設定温度の異なる冷凍冷却荷物を最適な冷凍冷却温度にした混載による輸送ができる。
よって、効率よく、設定温度の異なる冷凍冷却荷物の輸送を行なうことができる。
【００２１】
（２）前記（１）によって、冷凍コンテナーにエバポレータが設置されているので、正確に短時間に冷凍コンテナー内の温度を設定温度にできる。
【００２２】
（３）前記（１）によって、冷凍コンテナーにエバポレータを設置しているので、従来のように冷気の輸送距離が必要でなく、効率よく冷凍コンテナー内の冷凍冷却に利用でき、熱効率の向上を図ることができる。
【００２３】
（４）前記（１）によって、温度センサーとマイクロコンピュータで制御される冷媒配分バルブによって、複数個の冷凍コンテナー内の温度を任意に設定することができる。
したがって、冷凍冷却荷物の最適な冷凍冷却温度に容易に設定して、輸送することができる。
【００２４】
（５）請求項２、３も前記（１）〜（４）と同様な効果が得られる。
【００２５】
（６）請求項４、５も前記（１）〜（３）と同様な効果が得られる。
【図面の簡単な説明】
【図１】本発明の第１の実施の形態の概略側面図。
【図２】本発明の第１の実施の形態の概略平面図。
【図３】本発明の第１の実施の形態の概略背面図。
【図４】本発明の第１の実施の形態の冷凍機の説明図。
【図５】本発明の第１の実施の形態の冷凍コンテナーの正面図。
【図６】本発明の第１の実施の形態の冷凍コンテナーの平面図。
【図７】図６の７−７線に沿う拡大断面図。
【図８】本発明の第２の実施の形態の概略平面図。
【図９】本発明の第２の実施の形態の概略側面図。
【図１０】本発明の第２の実施の形態の冷凍機の説明図。
【図１１】本発明の第２の実施の形態の冷凍コンテナーの説明図。
【図１２】本発明の第３の実施の形態の概略平面図。
【図１３】本発明の第３の実施の形態の概略側面図。
【図１４】本発明の第３の実施の形態の冷凍機の説明図。
【図１５】本発明の第４の実施の形態の概略平面図。
【図１６】本発明の第４の実施の形態の概略側面図。
【図１７】本発明の第４の実施の形態の冷凍機の説明図。
【符号の説明】
１、１Ａ、１Ｂ、１Ｃ：冷凍車、
２：開閉扉、            ３：荷室、
４：輸送車本体、        ５：開閉扉、
６、６Ａ：冷凍コンテナー、
７：ファン、            ８：エバポレータ、
９：コンプレッサー、    １０：コンデンサー、
１１：熱交換タンク、    １２：冷凍ユニット、
１３：戻り管、          １４：冷媒供給パイプ、
１５：マイクロコンピュータ、
１６：記憶表示器、      １７：冷媒配分バルブ、
１８、１８ａ、１８ｂ、１８ｃ：冷媒供給管、
１９：温度センサー、    ２０：内壁、
２１：外壁、            ２２：冷気供給通路、
２３：冷気排出通路、    ２４：検知器、
２５：切替バルブ、      ２６：バイパス通路、
２７：凍結解凍機構、    ２８：荷台、
２９：密閉扉、          ３０：冷凍室、
３１：ポンプ、          ３２：冷媒供給管。